【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
左右に背合わせ状にパチンコ機を配列して形成される遊技機島の上部に設けられ，各パチンコ機にパチンコ玉を供給する装置であって、
前記遊技機島の前後長手方向に直列状に並べて配置され，それぞれが上流側と下流側に設けた二つのローラーに懸架されるとともに，該ローラーが遊技機島の左右短尺方向に設定される回転軸を中心に回転することで移動する無端状の搬送ベルトと、
各搬送ベルトの下方に，前記パチンコ玉の直径とほぼ等しい所定間隔を開けてそれぞれ設けられ、前記搬送ベルトの移動により前記パチンコ玉を下流側へ向けて移動させることが可能な断面コ字状の補給樋と、を備え、
上流側の補給樋の終端部を，上流側の搬送ベルトの終端部に沿って円弧状に形成して，該上流側の搬送ベルトの終端部との間で前記パチンコ玉を挟持可能な第一円弧部とし，
下流側の補給樋の始端部を，下流側の搬送ベルトの始端部との間に前記所定間隔より広い空間部を設けた円弧状に形成して，該下流側の搬送ベルトの始端部との間に前記パチンコ玉が流入可能な第二円弧部とし，
前記第一円弧部の終端と第二円弧部の始端を連設して，山形状部を形成し，上流側の搬送ベルトの終端部と第一円弧部とで挟持されて移動してきた前記パチンコ玉が前記山形状部を乗り越えるよう設定したことを特徴とするパチンコ玉供給装置。
【請求項２】
前記搬送ベルトを，前記ローラーと共に，左右短尺方向の一方側に所定角度で傾斜させると共に，前記補給樋を前記所定角度で傾斜させ，
前記補給樋の傾斜低所側である左右短尺方向の一方側に，前後長手方向に沿って，前記補給樋の上面のパチンコ玉を，その自重で，パチンコ機に供給する複数の補給シュートを設けたことを特徴とする請求項１に記載のパチンコ玉供給装置。
【請求項３】
前記補給シュートは，
前記補給樋の上面のパチンコ玉を前記補給樋の傾斜低所側に位置するパチンコ機に供給する第一補給シュートと，
前記補給樋の上面のパチンコ玉を前記補給樋の傾斜高所側に位置するパチンコ機に供給する第二補給シュートと，からなることを特徴とする請求項２に記載のパチンコ玉供給装置。
【請求項４】
前記搬送ベルトを，磁気性材料で形成したことを特徴とする請求項１，２又は３に記載のパチンコ玉供給装置。
【手続補正２】
【補正対象書類名】明細書
【補正対象項目名】全文
【補正方法】変更
【補正の内容】
【発明の詳細な説明】
【発明の名称】パチンコ玉供給装置
【技術分野】
【０００１】
本発明は、パチンコ遊技場の遊技機島に設けられ、その遊技機島を構成する各パチンコ機へパチンコ玉を供給するための供給装置に関するものである。
【背景技術】
【０００２】
パチンコ遊技場においては、左右に背合わせ状に配列された複数のパチンコ機によって遊技機島が構成され、この遊技機島の上部には、各パチンコ機にパチンコ玉を供給するための供給装置が設けられている。
【０００３】
従来、パチンコ玉の供給装置としては、前後長手方向に水平に設けた無端状の搬送ベルトを駆動装置によって周回させ、その搬送ベルトの上にパチンコ玉を載せて供給する装置がある（例えば、特許文献１参照）。
【０００４】
また、駆動装置で周回する搬送ベルトと、その直下に設けた平板状の補給樋との間でパチンコ玉を挟持して搬送し、各パチンコ機へ供給する装置もある（例えば、特許文献２参照）。この装置は、搬送ベルトをウレタン製とし、また、補給樋をその中央から左右の両方向へ下向傾斜させ、パチンコ玉をその自重で転がし、遊技機島の左右両側の各パチンコ機に供給するようにしている。
【０００５】
【特許文献１】特開平６−３９１３６号公報
【特許文献２】特開２００５−２７９３１１号公報
【発明の開示】
【発明が解決しようとする課題】
【０００６】
しかし、上記した従来技術は、いずれも無端状の搬送ベルトによってパチンコ玉を各パチンコ機に供給する構成としているので、考慮すべき点がある。すなわち、搬送ベルトが損傷するなどして交換する場合、迅速かつ経済的に行えることが望まれる。また、通常、遊技場の広さによって、遊技機島の長さが決定されるので、それに柔軟に対応できることが望まれる。
【０００７】
また、上記従来技術には、それぞれ以下の問題点がある。すなわち、特許文献１に記載の搬送ベルトを利用した装置は、パチンコ玉を搬送ベルトに載せて搬送するため、その搬送ベルト上にパチンコ玉が存在している状態では、例えば、ベルトを緩めることもできないので、簡単な保守点検をも行うことができない。従って、この供給装置に軽微な不具合が発生しても、その稼働を停止しなければ修理することができないので、パチンコ遊技場の稼働率を低下させてしまう。
【０００８】
また、特許文献２に記載の搬送ベルトと補給樋とでパチンコ玉を挟持して搬送する装置は、例えば、当該搬送ベルトと補給樋との間隙にバラツキが発生し、その間隙が所定より大きいと、パチンコ玉を円滑に搬送することができない。また、補給樋をその中央から左右の両方向へ下向傾斜させ、左右側両方のパチンコ機にパチンコ玉を供給するので、補給樋の傾斜のバラツキ等により、パチンコ玉を、左側または右側のパチンコ機へ均等に供給することができない。
【０００９】
本発明は、こうした問題に鑑み創案されたもので、無端状の搬送ベルトの交換を迅速かつ経済的に行うことができると共に、遊技機島の長さに柔軟に対応することができ、また、パチンコ玉を搬送中にも保守点検ができ、さらに、確実に左右両側のパチンコ機に均等にパチンコ玉を供給することのできるパチンコ玉搬送装置を提供することを課題とする。
【課題を解決するための手段】
【００１０】
図１乃至図７を参照して説明する。請求項１に記載のパチンコ玉供給装置１は、左右に背合わせ状にパチンコ機３ａ，３ｂを配列して形成される遊技機島２の上部に設けられ，各パチンコ機３にパチンコ玉４を供給する装置であって、前記遊技機島２の前後長手方向に直列状に並べて配置され，それぞれが上流側と下流側に設けた二つのローラー１１に懸架されるとともに，該ローラー１１が遊技機島２の左右短尺方向に設定される回転軸を中心に回転することで移動する無端状の搬送ベルト１０と、各搬送ベルト１０の下方に，前記パチンコ玉４の直径とほぼ等しい所定間隔Ｃを開けてそれぞれ設けられ、前記搬送ベルト１０の移動により前記パチンコ玉４を下流側へ向けて移動させることが可能な断面コ字状の補給樋２０と、を備え、上流側の補給樋２０ａの終端部を，上流側の搬送ベルト１０ａの終端部に沿って円弧状に形成して，該上流側の搬送ベルト１０ａの終端部との間で前記パチンコ玉４を挟持可能な第一円弧部２０ｃとし，下流側の補給樋２０ｂの始端部を，下流側の搬送ベルト１０ｂの始端部との間に前記所定間隔Ｃより広い空間部Ｓを設けた円弧状に形成して，該下流側の搬送ベルト１０ｂの始端部との間に前記パチンコ玉４が流入可能な第二円弧部２０ｄとし，前記第一円弧部２０ｃの終端と第二円弧部２０ｄの始端を連設して，山形状部２１を形成し，上流側の搬送ベルト１０ａの終端部と第一円弧部２０ｃとで挟持されて移動してきた前記パチンコ玉４が前記山形状部２１を乗り越えるよう設定したものである。
【００１１】
なお、「パチンコ玉４の直径とほぼ等しい所定間隔Ｃ」とは、パチンコ玉の直径よりやや小さい間隔を含む（以下、同じ）。
【００１２】
請求項２に記載のパチンコ玉供給装置１は、請求項１に記載の発明において、前記搬送ベルト１０を，前記ローラー１１と共に，左右短尺方向の一方側に所定角度αで傾斜させると共に，前記補給樋２０を前記所定角度αで傾斜させ，前記補給樋２０の傾斜低所側である左右短尺方向の一方側に，前後長手方向に沿って，前記補給樋２０の上面のパチンコ玉４を，その自重で，パチンコ機３に供給する複数の補給シュート３０，４０を設けたことを特徴とするものである。
【００１３】
請求項３に記載のパチンコ玉供給装置１は、請求項２に記載の発明において、前記補給シュートは，前記補給樋２０の上面のパチンコ玉４を前記補給樋２０の傾斜低所側Ｌに位置するパチンコ機３ａに供給する第一補給シュート３０と，前記補給樋２０の上面のパチンコ玉４を前記補給樋２０の傾斜高所側Ｈに位置するパチンコ機３ｂに供給する第二補給シュート４０と，からなることを特徴とするものである。
【００１４】
請求項４に記載のパチンコ玉供給装置１は、請求項１，２又は３に記載の発明において、前記搬送ベルト１０を，磁気性材料で形成したことを特徴とするものである。
【発明の効果】
【００１５】
請求項１に記載のパチンコ玉供給装置１は、複数の搬送ベルト１０と複数の補給樋２０とで構成し、上流側の補給樋２０ａの終端部を第一円弧部２０ｃとすると共に、下流側の補給樋２０ｂの始端部を第二円弧部２０ｄとし、両者を連設してパチンコ玉４が乗り越える山形状部２１としているので、搬送ベルト１０の交換を迅速かつ経済的に行うことができる。
【００１６】
すなわち、このパチンコ玉供給装置１は、複数の搬送ベルト１０を設けて構成しており、かつ、パチンコ玉４が第一円弧部２０ｃと第二円弧部２０ｄで形成される山形状部２１を乗り越えて下流側の搬送ベルト１０ｂに達するようにしているので、各搬送ベルト１０の長さを、全長を一本のもので構成する場合と比較して短く形成することができる。短い搬送ベルト１０は長いものと比較して取扱いが容易であり、従って、その交換を迅速に行うことができる。
【００１７】
また、搬送ベルト１０は、その全体が均等に損傷するとは限らず、一部分が損傷したために全体の交換を余儀なくされる場合も多々ある。そうした場合、本装置１では、複数の搬送ベルト１０で構成しているので、損傷が発生した搬送ベルト１０のみを交換すればよく、従って経済的である。
【００１８】
また、このパチンコ玉供給装置１は、複数の搬送ベルト１０を設けて構成しているので、遊技機島２の長さに柔軟に対応することができる。すなわち、遊技機島２が短い場合には、例えば、二つの搬送ベルト１０で構成することができ、遊技機島２が長い場合には、三つ以上の搬送ベルト１０を連続して設けて構成することができる。
【００１９】
なお、山形状部２１を設けたことにより、パチンコ玉４は、上流側の搬送ベルト１０ａおよび補給樋２０ａから下流側の搬送ベルト１０ｂおよび補給樋２０ｂへ円滑に搬送される。これは、パチンコ玉４が山形状部２１の頂上まで搬送された後、そこから自重によって下降し、その下降力によって下流側の搬送ベルト１０ｂと補給樋２０ｂとの間に進入することによるものである。
【００２０】
また、この装置１は、搬送ベルト１０と補給樋２０の所定間隔Ｃを、パチンコ玉４の直径とほぼ等しく設定しているので、当該搬送ベルト１０をパチンコ玉４に確実に接触させることができる。これにより、パチンコ玉４を、より効率的に搬送することができる。
【００２１】
また、搬送ベルト１０を前後長手方向に直列状に並べて配置しているので、高さ方向に大きな設置スペースを必要としない。従って、遊技場内を広々と開放された室内空間とすることができると共に、照明を遮らないので、明るく健全な雰囲気とすることもできる。
【００２２】
また、搬送ベルト１０の直下に補給樋２０を設け、両者の間で（補給樋２０の上面で）パチンコ玉４を搬送するので、パチンコ玉４を搬送中でも、搬送ベルト１０を緩めることができる。従って、当該搬送ベルト１０およびそれを周回させるローラー１１や駆動装置の簡単な保守点検を行うことができる。
【００２３】
さらに、この装置１は、複数の搬送ベルト１０を直列状に並べて構成しているので、揚送機構５０を上流側搬送ベルト１０ａの上流端、すなわち遊技機島２の前後長手方向の前端部（または後端部）に設けることができる。これにより、例えば、揚送機構５０を遊技機島２の長手方向中間部に設置する場合と比較して、遊技場内に開放感を持たせることができる。また、揚送機構５０を遊技機島２の前端部（または後端部）に設けることによって、当該揚送機構５０を遊技機島２の外から操作し易くなるので、メンテナンス等が容易となる。
【００２４】
また、断面コ字状の補給樋２０の側壁２２により、パチンコ玉４の落下を防止しているので、パチンコ玉４の供給をより確実に行うことができる。
【００２５】
請求項２に記載のパチンコ玉供給装置１は、請求項１に記載の発明と同様の効果を発揮する。また、搬送ベルト１０および補給樋２０を、左右短尺方向の一方側に所定角度αで傾斜させているため、全てのパチンコ玉４は搬送されながら補給樋２０の傾斜低所側Ｌに集まる。そして、傾斜低所側Ｌに集まったパチンコ玉４は、補給シュート３０によってパチンコ機３に供給することができる。
【００２６】
請求項３に記載のパチンコ玉供給装置１は、請求項２に記載の発明と同様の効果を発揮する。また、搬送ベルト１０および補給樋２０を、左右短尺方向の一方側に所定角度αで傾斜させ、傾斜低所側Ｌに第一補給シュート３０と第二補給シュート４０を設けているので、左右両側のパチンコ機３に均等にパチンコ玉４を供給することができる。
【００２７】
すなわち、補給樋２０を左右の一方側に傾斜させているため、全てのパチンコ玉４は搬送されながら補給樋２０の傾斜低所側Ｌに集まる。そして、傾斜低所側Ｌに集まったパチンコ玉４は、第一補給シュート３０によって傾斜低所側Ｌのパチンコ機３ａに供給され、第二補給シュート４０によって高所側Ｈのパチンコ機３ｂに供給される。従って、左右両側のパチンコ機３に均等にパチンコ玉４を供給することができる。
【００２８】
請求項４に記載のパチンコ玉供給装置１は、請求項１乃至３に記載の発明と同様の効果を発揮する。また、搬送ベルト１０を磁気性材料で形成しているので、磁力によって鉄製であるパチンコ玉４を吸着することができる。従って、当該パチンコ玉４を、効率的に搬送することができる。
【発明を実施するための最良の形態】
【００２９】
本発明に係るパチンコ玉供給装置１の実施形態を、図１乃至図７に示す。これは、左右に背合わせ状にパチンコ機３を配列して形成される遊技機島２の上部に設けられ、各パチンコ機３にパチンコ玉４を供給する装置であり、二つの搬送ベルト１０（１０ａ、１０ｂ）と二つの補給樋２０（２０ａ、２０ｂ）を備える。上流側搬送ベルト１０ａの上流端部には、パチンコ玉４を、遊技機島２の下部に位置する貯留タンク７０から、上部に位置する供給部８０まで搬送する揚送機構５０を設けている。
【００３０】
二つの搬送ベルト１０は、遊技機島２の前後長手方向に水平に配置され、各搬送ベルト１０は上流側と下流側に設けた二つのローラー１１に懸架され、直線状に設けられた無端状である。なお、二つのローラー１１は、上流側（または下流側）に設けられモーターで回転する駆動ローラー１１ａと、下流側（または上流側）に設けられた従動ローラー１１ｂとで構成される。なお、図４において、符号Ｅは水平ラインを示し、符号Ｄは搬送ベルト１０の傾斜ラインを示す。
【００３１】
複数の補給樋２０は、それぞれが対応する搬送ベルト１０の直下に、パチンコ玉４の直径とほぼ等しい所定間隔Ｃを開けて設けられた平板状で、その上面をパチンコ玉４が、搬送ベルト１０との間で挟持された状態で移動するものである。
【００３２】
そして、上流側の補給樋２０ａの終端部を、上流側の搬送ベルト１０ａの終端部との間に前記と同じ所定間隔Ｃを開けた側面円弧状（凹状）の第一円弧部２０ｃとしている。また、下流側の補給樋２０ｂの始端部を、下流側の搬送ベルト１０ｂの始端部との間に前記所定間隔Ｃより広い空間部Ｓを設けた側面円弧状（凹状）の第二円弧部２０ｄとしている。また、第一円弧部２０ｃの終端と第二円弧部２０ｄの始端は連設して、パチンコ玉４が乗り越える高さの山形状部２１としている。空間部Ｓは、上端から下端に向けて徐々に間隔を狭め、その終端で所定間隔Ｃと同じ間隔としている。なお、第一円弧部２０ｃの終端と第二円弧部２０ｄの始端は、適宜の係合手段によって分離可能に連設することもできる。
【００３３】
また、補給樋２０の左右両端部の分離器６０を除く箇所、および上流側の搬送ベルト１０ａと下流側の搬送ベルト１０ｂとの間（左右両端部）に、パチンコ玉４の落下を防止するための側壁２２を設けている。
【００３４】
また、複数の搬送ベルト１０を、ローラー１１と共に、左右短尺方向の一方側に所定角度αで傾斜させると共に、複数の補給樋２０を前記所定角度αで傾斜させている。
【００３５】
また、補給樋２０の低所側Ｌである左右短尺方向の一方側に、前後長手方向に沿って略等間隔に、補給樋２０の上面のパチンコ玉４を、その自重で、低所側Ｌに位置するパチンコ機３ａに供給する複数の第一補給シュート３０を設けている。第一補給シュート３０と補給樋２０との間には、分離器６０ａを設けている。
【００３６】
さらに、第一補給シュート３０に隣接して、低所側Ｌに、前後長手方向に沿って略等間隔に、補給樋２０の上面のパチンコ玉４を、その自重で、補給樋２０の高所側Ｈに位置するパチンコ機３ｂに供給する複数の第二補給シュート４０を設けている。この第二補給シュート４０と補給樋２０との間にも、分離器６０ｂを設けている。
【００３７】
そして、搬送ベルト１０を、ゴム材に砂鉄を混在させて形成し、その後、砂鉄を磁化した磁気性材料で構成している。
【００３８】
このパチンコ玉供給装置１は、次のように作動する。まず、モーターを稼動させて駆動ローラー１１ａを回転させ、上流側の搬送ベルト１０ａおよび下流側の搬送ベルト１０ｂを、それぞれ駆動ローラー１１ａと従動ローラー１１ｂとの間で周回させる。これにより、揚送機構５０によって供給部５０に供給されたパチンコ玉４を、上流側の搬送ベルト１０の磁力によって吸着しながら、上流側の補給樋２０ａの上面に沿って下流側へ搬送する。
【００３９】
上流側搬送ベルト１０ａによって搬送されるパチンコ玉４は、上流側補給樋２０ａの上面を下流側に移動しながら、随時、補給樋２０の傾斜の作用により、低所側Ｌに自重で転がる。そして、低所側Ｌおよび高所側Ｈの各パチンコ機３ａ，３ｂの分離器６０ａ，６０ｂに入り、そこから第一補給シュート３０および第二補給シュート４０を通過して、それぞれ低所側Ｌのパチンコ機３ａおよび高所側Ｈのパチンコ機３ｂに供給される。これにより、低所側Ｌおよび高所側Ｈの全てのパチンコ機３に、パチンコ玉４が均等に供給される（図５，６，７参照）。
【００４０】
上流側の搬送ベルト１０ａおよび補給樋２０ａを通過したパチンコ玉４は山形状部２１に達し、そこを乗り越えて下流側の搬送ベルト１０ｂに到達する。この山形状部２１を形成する第一円弧部２０ｃは、上流側搬送ベルト１０ａとの間に、パチンコ玉４の直径とほぼ同じ所定間隔Ｃ（パチンコ玉４の直径よりやや狭い間隔）を形成しているので、パチンコ玉４は、搬送ベルト１０ａと補給樋２０ａとの間に挟持された状態で山形状部２１を容易に乗り越える。
【００４１】
また、第二円弧部２０ｄは、下流側の搬送ベルト１０ｂとの間に前記所定間隔Ｃより広い空間部Ｓを形成しているので、山形状部２１を乗り越えたパチンコ玉４は、この空間部Ｓに溜まった後、自重で下降し、下流側の搬送ベルト１０ｂと補給樋２０ｂとの間に挟持された状態で下流側へ搬送される。そして、同様に、第一補給シュート３０および第二補給シュート４０を通過して低所側Ｌおよび高所側Ｈのパチンコ台に供給される。
【００４２】
この装置１は、第二円弧部２０ｄと下流側搬送ベルト１０ｂとの間に、所定間隔Ｃより広い幅の空間部Ｓを形成しているので、この空間部Ｓにパチンコ玉４を溜めることができ、よって、パチンコ玉４を下流側の搬送ベルト１０ｂと補給樋２０ｂとの間に円滑に送り込むことができる。ちなみに、空間部Ｓを所定間隔Ｃと同じ幅に設定すると、パチンコ玉４が上流側の搬送ベルト１０ａと下流側の搬送ベルト１０ｂとの間に詰まった状態となり、円滑な搬送ができないことを確認した。
【００４３】
本実施形態に係るパチンコ玉供給装置１は、二つの搬送ベルト１０と二つの補給樋２０を設けて構成し、上流側の補給樋２０ａの終端部を第一円弧部２０ｃとすると共に、下流側の補給樋２０ｂの始端部を第二円弧部２０ｄとし、両者を連設してパチンコ玉４が乗り越える山形状部２１としているので、搬送ベルトの交換を迅速かつ経済的に行うことができる。
【００４４】
すなわち、上記構成により、各搬送ベルト１０の長さを、一本のもので構成する場合と比較して短く形成することができる。この短い搬送ベルト１０は長いものと比較して取扱いが容易であり、従って、その交換を迅速に行うことができる。
【００４５】
また、搬送ベルト１０は、その一部分が損傷したために全体を交換せざるを得ない場合があるが、そうした場合、本装置１は、複数の搬送ベルト１０で構成しているので、損傷が発生した搬送ベルト１０のみを交換すればよく、従って経済的である。
【００４６】
なお、このパチンコ玉供給装置１は、二つの搬送ベルト１０を設けて構成しているが、遊技機島２が長い場合には、三つ以上の搬送ベルト１０で構成することができる。従って、遊技機島２の長さに柔軟に対応することができる。
【００４７】
また、この装置１は、搬送ベルト１０と補給樋２０の所定間隔Ｃを、パチンコ玉４の直径とほぼ等しく設定しているので、当該搬送ベルト１０をパチンコ玉４に確実に接触させることができる。これにより、パチンコ玉４を、より効率的に搬送することができる。
【００４８】
また、搬送ベルト１０を前後長手方向に水平に配置しているので、高さ方向に大きな設置スペースを必要としない。従って、遊技場内を広々と開放された室内空間とすることができると共に、照明を遮らないので、明るい雰囲気とすることもできる。
【００４９】
また、この装置１は、パチンコ玉４の落下を防止するための側壁２２を設けているので、パチンコ玉４の供給をより確実に行うことができる。また、搬送ベルト１０の直下に補給樋２０を設け、両者の間でパチンコ玉４を搬送するので、パチンコ玉４を搬送中でも、搬送ベルト１０を緩めることができ、従って、当該搬送ベルト１０およびそれを周回させるローラー１１や駆動装置の簡単な保守点検を行うことができる。
【００５０】
また、搬送ベルト１０および補給樋２０を、左右短尺方向の一方側に所定角度αで傾斜させ、低所側Ｌに第一補給シュート３０と第二補給シュート４０を設けているので、左右両側のパチンコ機３に均等にパチンコ玉４を供給することができる。
【００５１】
すなわち、補給樋２０を左右の一方側に傾斜させているため、全てのパチンコ玉４は搬送されながら補給樋２０の低所側Ｌに集まる。そして、低所側Ｌに集まったパチンコ玉４は、第一補給シュート３０によって低所側Ｌのパチンコ機３ａに供給され、第二補給シュート４０によって高所側Ｈのパチンコ機３ｂに供給される。従って、左右両側のパチンコ機３に均等にパチンコ玉４を供給することができる。
【００５２】
さらに、搬送ベルト１０を磁気性材料で形成しているので、磁力によって鉄製であるパチンコ玉４を吸着することができる。従って、当該パチンコ玉４を、効率的に搬送することができる。
【００５３】
なお、この搬送ベルト１０はその上流側と下流側に設けた二つのローラー１１に懸架させているので、その中央部分が自重によって垂下し易いが、この垂下によってパチンコ玉４により強く接触するので、当該パチンコ玉４を効率的に搬送することができる。
【００５４】
また、本実施形態における補給樋２０はステンレス製としている。これにより、補給樋２０に搬送ベルト１０の磁力が作用せず、また、表面が滑らかで剛性も高いので、パチンコ玉４は補給樋２０の上面を、長期にわたって円滑に移動することができる。
【００５５】
なお、上記実施形態では、搬送ベルト１０を所定角度αで傾斜させているが、本発明はこれに限定されず、搬送ベルト１０を傾斜させない構成にも適用することができる。また、搬送ベルト１０を磁気性材料で形成しているが、磁気を帯びていない材料（ゴムや樹脂）で形成することもできる。
【図面の簡単な説明】
【００５６】
【図１】本発明に係るパチンコ玉供給装置の実施形態を示す側面構成図である。
【図２】図１に示す供給装置の要部を示す側面拡大構成図である。
【図３】図２の平面図である。
【図４】図１に示す供給装置の正面断面構成図である。
【図５】図１に示す供給装置の要部を示す側面拡大構成図である。
【図６】図５のＡ−Ａ線矢視構成図である。
【図７】図５のＢ−Ｂ線矢視構成図である。
【符号の説明】
【００５７】
１          パチンコ玉供給装置
２          遊技機島
３          パチンコ機
３ａ        パチンコ機（低所側）
３ｂ        パチンコ機（高所側）
４          パチンコ玉
１０        搬送ベルト
１０ａ      上流側搬送ベルト
１０ｂ      下流側搬送ベルト
１１        ローラー
１１ａ      駆動ローラー
１１ｂ      従動ローラー
２０        補給樋
２０ａ      上流側補給樋
２０ｂ      下流側補給樋
２０ｃ      第一円弧部
２０ｄ      第二円弧部
２１        山形状部
２２        側壁
３０        第一補給シュート
４０        第二補給シュート
５０        揚送機構
６０        分離器
６０ａ      分離器（低所側）
６０ｂ      分離器（高所側）
７０        貯留タンク
８０        供給部
Ｃ          所定間隔
Ｄ          搬送ベルト（およびローラー）の傾斜ライン
Ｅ          水平ライン
Ｈ          高所側
Ｌ          低所側
Ｓ          空間部
α          所定角度